(57)【要約】【課題】エアーチューブによるイオン量減少の問題がなく、エアーチューブの長さを長くしても充分な除電効果が得られ、しかも、狭い場所での使用が容易であるに加え、イオンを一点から集中噴射させることができて、狭い特定箇所への局所的な除電を行うのに好適なチューブ型除電器を提供する。【解決手段】先端から気体を噴射するための可撓性を有する噴射用エアーチューブ１中に、高電圧を印加されるワイヤ電極２を挿入し、このワイヤ電極の先端と噴射用エアーチューブの先端部に設けられた接地電極７との間で放電させてイオンを噴射する。【選択図】図３
2008047484.tif 000002
【特許請求の範囲】
【請求項１】
先端から気体を噴射するための可撓性を有する噴射用エアーチューブ中に、高電圧を印加されるワイヤ電極を挿入し、このワイヤ電極の先端と対向電極との間で放電させてイオンを噴射することを特徴とするチューブ型除電器。
【請求項２】
対向電極が噴射用エアーチューブの先端部に設けられた接地電極であることを特徴とする請求項１に記載の特徴とするチューブ型除電器。
【請求項３】
接地電極を、樹脂製とした噴射用エアーチューブの先端部外周面に付着した金属箔にて形成したことを特徴とする請求項２に記載のチューブ型除電器。
【請求項４】
ワイヤ電極を絶縁被覆で被覆し、その先端部を絶縁被覆から剥き出したことを特徴とする請求項１〜３のいずれかに記載のチューブ型除電器。
【請求項５】
噴射用エアーチューブと、気体供給源からの気体を供給する供給用エアーチューブとを中継ボックスにて互いに接続するとともに、ワイヤ電極と高電圧電源からの高電圧を供給する高圧ケーブルも、この中継ボックスにて互いに電気接続したことを特徴とする請求項１〜４のいずれかに記載のチューブ型除電器。
【請求項６】
ワイヤ電極と高圧ケーブルとを中継ボックス内に設置された抵抗又はコンデンサを介して電気接続したことを特徴とする請求項５に記載のチューブ型除電器。
【発明の詳細な説明】
【技術分野】
【０００１】
本発明は、イオンを空気等の気体と共にエアーチューブ（エアーホースを含めて言う）を通じて噴射して除電するチューブ型除電器に関する。
【背景技術】
【０００２】
従来のこの種の除電器では、放電部でのコロナ放電で生じたイオンを、離れた特定箇所へ誘導する場合、一般に、放電部にエアーチューブ（又はパイプ）を接続し、イオンを圧縮空気と共にエアーチューブを通じて噴射していたが、エアーチューブの先端から噴射されるまでにイオン量が激減し、エアーチューブを長くすると所期する除電効果が得られず、除電効果があるのは、エアーチューブの長さがせいぜい２００ｍｍ〜３００ｍｍ程度までで、それ以上長くすると除電効果がほとんど無かった。
【０００３】
特許文献１（実用新案登録第２５２４２４５号公報）には、エアーチューブ（エアーホース）の先端に接続した電気絶縁材製の電極ヘッドにエアー噴射孔と３個の円形穴を設け、これら３個の円形穴内において、いずれも針状のプラス電極、マイナス電極、検出電極をそれぞれ植設し、これら３つの電極を電線を介して外部の回路と接続した除電器が開示されている。
【０００４】
これによると、エアーチューブによるイオン量減少や長さの制限はないが、エアーチューブの先端に電極ヘッドを接続し、さらにこの電極ヘッドに電線を接続しているため、狭い場所での使用が制限されるとともに、プラス・マイナスの針状電極が植設された円形穴とエアー噴射孔との位置がずれていて、イオン生成箇所とエアー噴射箇所とが一致していないため、イオンを一点から集中噴射させることができない。
【特許文献１】実用新案登録第２５２４２４５号公報
【発明の開示】
【発明が解決しようとする課題】
【０００５】
本発明の課題は、エアーチューブによるイオン量減少の問題がなく、エアーチューブの長さを長くしても充分な除電効果が得られ、しかも、狭い場所での使用が容易であるに加え、イオンを一点から集中噴射させることができて、狭い特定箇所への局所的な除電を行うのに好適なチューブ型除電器を提供することにある。
【課題を解決するための手段】
【０００６】
本発明によるチューブ型除電器は、先端から気体を噴射するための可撓性を有する噴射用エアーチューブ中に、高電圧を印加されるワイヤ電極を挿入し、このワイヤ電極の先端と対向電極との間で放電させてイオンを噴射する。
【０００７】
対向電極は、噴射用エアーチューブの先端部に設けられた接地電極であることが好ましい。その場合、接地電極は、樹脂製とした噴射用エアーチューブの先端部外周面に付着した金属箔にて形成することができる。
【０００８】
ワイヤ電極を絶縁被覆で被覆し、その先端部を絶縁被覆から剥き出すことで、ワイヤ電極の先端と接地電極との間で放電させることができる。
【０００９】
噴射用エアーチューブと、気体供給源からの気体を供給する供給用エアーチューブとを中継ボックスにて互いに接続するとともに、ワイヤ電極と高電圧電源からの高電圧を供給する高圧ケーブルも、この中継ボックスにて互いに電気接続する。
【００１０】
ワイヤ電極と高圧ケーブルは、中継ボックス内に設置された抵抗又はコンデンサを介して電気接続する。
【発明の効果】
【００１１】
本発明によれば、可撓性の噴射用エアーチューブ内に挿入したワイヤ電極の先端と、対向電極との間、好ましくは、噴射用エアーチューブの先端部に設けられた接地電極との間で放電させてイオンを噴射するので、噴射用エアーチューブの先端内部でイオンを生成すると同時に気体と共に噴射でき、噴射用エアーチューブによるイオン量減少の問題がなく、噴射用エアーチューブの長さを１ｍ以上に長くしても充分な除電効果が得られる。
また、可撓性の噴射用エアーチューブ内にワイヤ電極を挿入した単純かつ細い構造であるので、狭い場所での使用が容易である。
さらに、イオンを噴射用エアーチューブの先端の一点から集中噴射させることができるので、狭い特定箇所への局所的な除電を行うのに好適である。
【００１２】
請求項３に係る発明のように、接地電極を、樹脂製とした噴射用エアーチューブの先端部外周面に付着した金属箔にて形成すると、樹脂製のエアーチューブが電気的に静電容量の役目をするので、ワイヤ電極の先端と接地電極との間の極度の放電（火花放電など）を防止でき、安全である。
【００１３】
請求項４に係る発明のように、ワイヤ電極を絶縁被覆で被覆し、その先端部を絶縁被覆から剥き出せば、ワイヤ電極の先端以外での放電や、漏電や、金属製であるワイヤ電極の腐食を防止できる。
【００１４】
請求項５に係る発明のように、供給側エアーチューブとの接続、及び高電圧供給側高圧ケーブルとの接続を共通の中継ボックスを用いて行うと、配管・配線が容易である。
【００１５】
請求項６に係る発明のように、ワイヤ電極と高圧ケーブルとを中継ボックス内に設置された抵抗又はコンデンサを介して電気接続すると、放電電流を制限できるとともに、そのための抵抗又はコンデンサを中継ボックスにて保護できる。
【発明を実施するための最良の形態】
【００１６】
次に、本発明の実施例を図面に基づいて詳細に説明する。
【実施例】
【００１７】
図１に本発明による除電器の全体概要構成を示す。この除電器は、柔軟な可撓性を有するナイロン等の樹脂製の噴射用エアーチューブ１中に、可撓性を有するステンレス等の金属製ワイヤ電極２を挿入しており、この噴射用エアーチューブ１と、図示しないエアー供給源からエアーを供給される供給側エアーチューブ３とを、中継ボックス４を介して接続するとともに、高電圧電源５からの高電圧を供給する高圧ケーブル６とワイヤ電極２も、この中継ボックス４を介して電気接続し、ワイヤ電極２の先端と噴射用エアーチューブ１の先端部外周面に設けられた、対向電極である接地電極７との間で放電させて、噴射用エアーチューブ１の先端からエアーと共にイオンを噴射する。
【００１８】
中継ボックス４には、その両端面を貫通するエアー通路８及びこれに分岐する配線路９が形成され、エアー連通路８の入口外側にはコック１０、出口外側にはワンタッチジョイント１１がそれぞれ設けられている。そして、コック１０に供給側エアーチューブ３、ワンタッチジョイント１１に噴射用エアーチューブ１を接続することで、これらエアーチューブ３・１がエアー通路８を通じて連通されている。また、高圧ケーブル６の心線とワイヤ電極２とが、配線路９内に設置した放電電流制限用抵抗１２を介して、中継ボックス４内で電気接続されている。なお、抵抗に代えてコンデンサを用いてもよい。
【００１９】
図２及び図３に噴射用エアーチューブ１の先端部の構造を示す。接地電極７は、銅箔等の金属箔を噴射用エアーチューブ１の外周面に付着して形成され、接地電極７に接続したアース線１３を介して接地される。ワイヤ電極２は、本例の場合、ステンレス細線２ａをポリテトラフルオロエチレンチューブ２ｂで絶縁被覆したもので、その先端部を剥き出してあることにより、ステンレス細線２ａの先端と接地電極７との間で、樹脂製の噴射用エアーチューブ１の先端部を介したコロナ放電がこのエアーチューブ１内で生ずるようになっている。その際、エアーチューブ１の先端部は電気的に静電容量の役目をする。
【００２０】
従って、噴射用エアーチューブ１の先端部の内部でのこのようなコロナ放電により生じたイオンは、生成と当時に、減量することなくエアーチューブ１の先端からエアーと共に集中して噴射される。
【００２１】
なお、ワイヤ電極２は絶縁被覆したものでなくともよく、また、エアーに代えて窒素ガス等の他の気体を用いてもよい。さらに、噴射用エアーチューブ１の先端部に接地電極７を設けたが、噴射用エアーチューブ１の外部に対向電極を設置して、それとワイヤ電極２との間で放電させてもよい。
【図面の簡単な説明】
【００２２】
【図１】本発明による除電器の全体概要構成図である。
【図２】噴射用エアーチューブの先端部の斜視図である。
【図３】その一部切欠側面図である。
【符号の説明】
【００２３】
１  噴射用エアーチューブ
２  ワイヤ電極
２ａ  ステンレス細線
２ｂ  ポリテトラフルオロエチレンチューブ
３  供給側エアーチューブ
４  中継ボックス
５  高電圧電源
６  高圧ケーブル
７  接地電極
８  エアー通路
９  配線路
１０  コック
１１  ワンタッチジョイント
１２  放電電流制限用抵抗
１３  アース線
【図１】
2008047484.tif 000003
【図２】
2008047484.tif 000004
【図３】
2008047484.tif 000005
【手続補正書】
【提出日】平成19年11月27日(2007.11.27)
【手続補正１】
【補正対象書類名】特許請求の範囲
【補正対象項目名】全文
【補正方法】変更
【補正の内容】
【特許請求の範囲】
【請求項１】
先端から気体を噴射するための可撓性を有する噴射用エアーチューブ中に、高電圧を印加されるワイヤ電極を挿入し、このワイヤ電極の先端と対向電極との間で放電させてイオンを噴射することを特徴とするチューブ型除電器。
【請求項２】
対向電極が噴射用エアーチューブの先端部に設けられた接地電極であることを特徴とする請求項１に記載のチューブ型除電器。
【請求項３】
接地電極を、樹脂製とした噴射用エアーチューブの先端部外周面に付着した金属箔にて形成したことを特徴とする請求項２に記載のチューブ型除電器。
【請求項４】
ワイヤ電極を絶縁被覆で被覆し、その先端部を絶縁被覆から剥き出したことを特徴とする請求項１〜３のいずれかに記載のチューブ型除電器。
【請求項５】
噴射用エアーチューブと、気体供給源からの気体を供給する供給用エアーチューブとを中継ボックスにて互いに接続するとともに、ワイヤ電極と高電圧電源からの高電圧を供給する高圧ケーブルも、この中継ボックスにて互いに電気接続したことを特徴とする請求項１〜４のいずれかに記載のチューブ型除電器。
【請求項６】
ワイヤ電極と高圧ケーブルとを中継ボックス内に設置された抵抗又はコンデンサを介して電気接続したことを特徴とする請求項５に記載のチューブ型除電器。